(57)【要約】      （修正有）【課題】孫の手を使って背中などの痒い部位をかくが如く安定的に且つ的確に洗う身体の当該部位を、一定以上の押圧を受けると柔軟に動いて過剰な負荷を分散回避して、安全で健康に役立つと共に心地よく洗える多機能身体洗い具を提供する。【解決手段】身体洗い具本体２に柄部３を設け、柄部３の前方先部に洗う身体と当接する側に曲げた屈曲部４を設けて先端に柄基台部５を設け、柄基台部５を収納して合体する収納室１０を備えた脱着自在構造の洗い基台部６を設け、洗い基台部６に手指の親指を除いた他指を揃えて軽く折り曲げたような先端を反り返らせた同一大で同一形状構成の洗い台部７を複数本設け、洗い基台部６と各洗い台部７の洗う身体に当接する側の表面にそれぞれ垢擦り部８を設けて一体形成したことを特徴とする多機能身体洗い具。【選択図】図１
2015139685.tif 000002
【特許請求の範囲】
【請求項１】
身体洗い具本体に柄部を設け、柄部の前方先部に洗う身体と当接する側に曲げた屈曲部を設けて先端に柄基台部を設け、柄基台部を収納して合体する収納室を備えた脱着自在構造の洗い基台部を設け、洗い基台部に手指の親指を除いた他指を揃えて軽く折り曲げたような先端を反り返らせた同一大で同一形状構成の洗い台部を複数本設け、洗い基台部と各洗い台部の洗う身体に当接する側の表面にそれぞれ垢擦り部を設けて一体形成したことを特徴とする多機能身体洗い具。
【請求項２】
伸縮性のナイロン材などの網状などを多重巻きにした形状構造の垢擦り部を複数設けたことを特徴とする請求項１記載の多機能身体洗い具。
【請求項３】
洗い基台部及び各洗い台部と各垢擦り部のそれぞれが接着する側の表面に取り替えを自在にするマジックテープなどを装着した脱着テープ部を設けて接着一体化したことを特徴とする請求項１記載及び請求項２記載の多機能身体洗い具。
【請求項４】
洗い基台部の左右両横側に手で掴んで持つ湾曲形状の把握部を設けたことを特徴とする請求項１記載及び請求項２記載及び請求項３記載の多機能身体洗い具。
【発明の詳細な説明】
【技術分野】
【０００１】  本発明は、浴室などで身体を洗う際に使用する多機能身体洗い具に関するものである。
【背景技術】
【０００２】  従来、浴室などで身体を洗う際にはナイロンタオルなどに石鹸などをつけて軽く揉んで泡立てた後、直接手に持って洗う身体の当該部位に当接させて前後左右などに動かして擦るようにして洗っていた。そして、手の届かない背中などの当該部位はナイロンタオルなどの両端をそれぞれ左右の手で持って上下などに動かして擦るようにして洗っていた。
また、病気や怪我などで腰などを痛めていて屈伸や捻るなどの動作が難しく、且つ怪我などで片手が不自由な場合に、手の届かない背中などの当該部位に洗い残しが生じるのを防いで片手で身体を洗うことを可能にした柄の先端に垢擦りを設けて角度のついた握り部を装着した伸縮自在柄付身体洗具が知られている。（実用新案文献１参照）。
【先行技術文献】
【実用新案文献】
【０００３】
【実用新案文献１】
実用新案登録第３１３８９９６号
【発明の概要】
【発明が解決しようとする課題】
【０００４】  しかしながら、伸縮自在柄付身体洗具は柄に装着した角度のついた握り部を片手で持って柄の先端に設けた垢擦りを、洗う身体の当該部位に当接させて前後左右などに動かして擦るようにして洗うが、バランスをとるのが難しくて安定性に欠け、特に視界外の背中などの当該部位を洗う際には力の入れ加減を間違えて強く擦り過ぎるなどして洗う当該部位の皮膚を痛めて傷つけてしまうと云う問題が生じて、安全に身体を洗うことが不可能だった。
更に、柄の長さを調節して洗う身体の遠近の当該部位を洗う際にも、角度のついた握り部が洗う身体の当該部位以外の部位に当たるなどして、洗う一連の動作の妨げになるなどの弊害も発生すると云う問題もあって、スムーズに身体を洗うことが不可能だった。
本発明は、以上の問題点を解決する為になされたものである。
【課題を解決するための手段】
【０００５】  身体洗い具本体に柄部を設け、柄部の前方先部に洗う身体と当接する側に曲げた屈曲部を設けて先端に柄基台部を設け、柄基台部を収納して合体する収納室を備えた脱着自在構造の洗い基台部を設け、洗い基台部に手指の親指を除いた他指を揃えて軽く折り曲げたような先端を反り返らせた同一大で同一形状構成の洗い台部を複数本設け、洗い基台部と各洗い台部の洗う身体に当接する側の表面にそれぞれ垢擦り部を設けて一体形成したことを特徴とする多機能身体洗い具。
【発明の効果】
【０００６】  従来不可能とされていた視界外の手の届かない背中などを洗う際に、洗う当該部位の皮膚を強く擦り過ぎるなどして痛めて傷つけることなく、片手で孫の手を使って背中などの痒いところをかくが如くに、特別な技術を必要としないで老若男女が手軽に安全に身体を洗うことを本発明により可能にし、且つ手の届く範囲の身体の当該部位を洗う際には柄部を分離して、身体洗い具本体を直接手に持って洗う身体の当該部位を洗うことができるので、万遍なく洗い残しを無くしてスムーズに洗うことを可能にした。
そして、一連の洗う作業のなかで本発明の特徴とする形状構造上必然的に発生する反発力による押圧の刺激により洗う身体の当該部位をマッサージして血行を良くするので健康促進に役立つと共に、心地よい感触が得られるので楽しく安全に身体を洗うことができる。
【図面の簡単な説明】
【０００７】
【図１】  本発明の斜視図
【図２】  本発明の分離斜視図
【発明を実施するための形態】
【０００８】  以下、本発明の実施の形態を説明する。
（ア）最初に、多機能身体洗い具（１）は、右手用と左手用が同一形状構成であり、この      実施の形態に於いては左右の手兼用の多機能身体洗い具（１）を図示（図１、図２      ）して説明する。
（イ）本発明の多機能身体洗い具（１）は、全長５５ｃｍ位（成人男性用）の身体洗い具      本体（２）に各部をそれぞれ設けて一体形成したものである。
（ウ）請求項１の図１は、身体洗い具本体（２）に柄部（３）を設け、柄部（３）の前方      先部に洗う身体に当接する側に曲げた屈曲部（４）を設けて先端に柄基台部（５）      を設け、柄基台部（５）を収納して合体する収納室（１０）と止着テープ部（９）      を備えた脱着自在構造の洗い基台部（６）を設け、洗い基台部（６）の左右両横側      に把握部（１２）を設け、更に洗い基台部（６）に手指の親指を除いた他指を揃え      て軽く折り曲げたような先端を反り返らせた同一大で同一形状構成の洗い台部（７      ）を複数本設け、洗い基台部（６）及び各洗い台部（７）にそれぞれ洗う身体に当      接する側の表面に垢擦り部（８）を設けるが、垢擦り部（８）の取り替えを自在に      する為に脱着テープ部（１１）を洗い基台部（６）及び各洗い台部（７）と各垢擦      り部（８）のそれぞれが接着する側の表面に設けて一体形成する。
（エ）図２は、止着テープ部（９）を外して洗い基台部（６）の収納室（１０）より柄基      台部（６）を取り出して柄部（３）を独立分離したものである。
以下、これらの各部位を個別に順次詳しく説明する。
（オ）まず柄部（３）は、軽量硬質のプラスチック材などで全長４０ｃｍ位（成人男性用      ）の全体が緩やかな湾曲形状で後部の握り部分が緩やかに反った形状の最後尾に吊      り掛け穴を備えたものである。
（カ）屈曲部（４）は、洗う身体に当接する側に３０度位折り曲げた形状構成である。
（キ）柄基台部（５）は、柄部（３）と一体で同一の軽量硬質のプラスチック材などで、      洗い基台部（６）と収納合体する収納室（１０）にスムーズに出し入れが出来て、      且つ収納室（１０）の各内壁にフィットして一体化する形状構成である。
（ク）洗い基台部（６）は、柔軟で弾力性に富んだ合成ゴム材及び天然ゴム材などで形成      して各部（７，８，９，１０，１１，１２）を設けた本発明の重要な基である。
（ケ）各洗い台部（７）は、本発明の最も重要な特徴部であり、洗い基台部（６）と一体      で同一の柔軟で弾力性に富んだ合成ゴム材及び天然ゴム材などで、手指の親指を除      いた他指を揃えて軽く３段階位（１段階目１０度位、２段階目２０度位、３段階目      ４０度位）に折り曲げたような先端を反り返（９０度位）らせた独立形状構成であ      り、各洗い台部（７）はそれぞれ全長１０ｃｍ位、横幅２ｃｍ位、厚さ１・５ｃｍ      位（成人男性用）で各洗い台部（７）の間隔は２ｍｍ位の同一大で同一形状構成で      ４本位設ける。尚、同条件で５本位設けても良い。
（コ）請求項２の垢擦り部（８）は、網状などの伸縮性のナイロン材などを多重巻き（直      径１ｃｍ位、成人男性用）にして弾力性を持たせて、形状は接着して一体化する洗      い基台部（６）及び各洗い台部（７）のそれぞれが接着する側の表面の形状と同一      のコピー形状である。そして、洗い基台部（６）及び各洗い台部（７）と接着する      側に取り替えを自在にする脱着テープ部（１１）を接着剤及び縫製などで止着して      設けている。
（サ）請求項３の脱着テープ部（１１）は、接着する側の表面にマジックテープなどを接      着剤及び縫製などで止着して装着しており、洗い基台部（６）及び各洗い台部（７      ）と各垢擦り部（８）のそれぞれが接着して一体化する側の表面に接着剤及び縫製      などで止着して設けている。
（シ）請求項４の把握部（１２）は、柄部（３）を分離した後の洗い基台部（６）を片手      （右手若しくは左手）で掴んで持ち洗いをする際に、持ちやすく安定して手に収ま      るように洗い基台部（６）の左右両横側を湾曲形状に削り形成したものである。
（ス）止着テープ部（９）は、繊維材などの全長４ｃｍ位、横幅１ｃｍ位（成人男性用）      の帯状の形成で枝部（３）を挟む形で２本設けられており、片方を洗い基台部（６      ）の下側面に接着剤及び縫製などで止着して固定し、片方を収納室（１０）の出入      り口を塞ぐ形態で洗い基台部（６）の上側面にマジックテープなどで接着して脱着      を自在にしたものである。
尚、マジックテープなどは洗い基台部（６）と止着テープ部（１１）のそれぞれが      接着する位置に接着剤及び縫製で止着して設けている。
（セ）収納室（１０）は、洗い基台部（６）に備わった柄基台部（５）を収納して合体す      る形状構造の空間部である。
本発明は以上のような構造である。
本発明を使用するときは、まず合体した状態の多機能身体洗い具（１）の各垢擦り部（８）の表面に石鹸などをつけて手指で軽く揉むようにして泡立てた後、柄部（３）を使用する手（右手若しくは左手）で軽く握り持って、孫の手を使って手の届かない背中などの痒いところをかく要領で、視界外の手の届かない背中などの洗う身体の当該部位に各垢擦り部（８）の折り曲がった最大角度の頂上部を当接させて、徐々に力を加えながら下側へ滑らせるようにして押し下げながら当接した当該部位を擦り洗う。この時、各洗い台部（７）の折り曲げた部位が押し伸ばされた状態になることで必然的に反発力が生じて、自動的に各洗い台部（７）と接着一体化した各垢擦り部（８）が当接している当該部位を押圧刺激してマッサージをするので血行を良くして健康促進に役立つと共に、心地よい感触が得られる
また、万一力を入れ過ぎて強く押圧した場合でも、各洗い台部（７）が柔軟に動いて過剰な負荷を分散回避するので当該部位の皮膚を痛めて傷つける心配がない。
そして，限界近くまで押し下げたら、次にそのままの状態で可能なところまで当該部位を擦り洗いながら押し上げる。この一連の動作を位置を変えながら繰り返し行うことで洗い残しを無くして万遍なく綺麗に洗うことが可能である。
こうして、手の届かない部位及び手の届き難い部位を洗い終えたら、止着テープ部（９）を外して収納室（１０）より柄基台部（５）を取り出して合体していた柄部（３）を分離した後、洗い基台部（６）の把握部（１２）を使用する手（右手若しくは左手）で掴み持って洗う身体の当該部位に各垢擦り部（８）を当接させて、従来のナイロンタオルなどを直接手に持って洗う要領で、当該部位に沿うようにして前後や横などに押圧を加えながら手の届く範囲を、多機能身体洗い具（１）合体状態と同様に、安全で且つ健康促進に役立つと共に心地よい感触を得ながら楽しく身体を洗うことができる。
【符号の説明】
【０００９】  １多機能身体洗い具  ２身体洗い具本体  ３柄部  ４屈曲部  ５柄基台部  ６洗い基台部  ７洗い台部  ８垢擦り部  ９止着テープ部  １０収納室  １１脱着テープ部  １２把握部
【図１】
2015139685.tif 000003
【図２】
2015139685.tif 000004
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
身体洗い具本体に柄部を設け、柄部の前方先部に洗う身体と当接する側に曲げた屈曲部を設けて先端に柄基台部を設け、柄基台部を収納して合体する収納室を備えた脱着自在構造の洗い基台部を設け、洗い基台部に先端を反り返らせて軽く折り曲げた親指を除いた手指のような形状の洗い台部を独立形状構成にて複数本設け、洗い基台部と各洗い台部の洗う身体に当接する側の表面にそれぞれ垢擦り部を設けて一体形成したことを特徴とする多機能身体洗い具。
【請求項２】
伸縮性のナイロン材の網状を多重巻きにした形状構造の垢擦り部を複数設けたことを特徴とする請求項１に記載の多機能身体洗い具。
【請求項３】
洗い基台部及び各洗い台部と各垢擦り部のそれぞれが接着する側の表面に取り替えを自在にする面ファスナーを装着した脱着テープ部を設けて接着一体化したことを特徴とする請求項１又は２に記載の多機能身体洗い具。
【請求項４】
洗い基台部の左右両横側に手で掴んで持つ湾曲形状の把握部を設けたことを特徴とする請求項１乃至３の何れかに記載の多機能身体洗い具。